【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
黒色の画像形成を行う際に黒用の像担持体に走査する光ビーム数を、多色の画像形成を行う際の前記黒用の像担持体に走査する光ビーム数に比べて多くした画像形成装置であって、
前記多色の画像形成を行う際に各色の画像信号を出力するための複数の信号線と、
前記複数の信号線のうち黒の画像信号を出力するための黒用の信号線を除く所定の信号線に接続された前記多色の画像形成を行う際の光源を駆動する多色用駆動手段と、
前記所定の信号線に接続された前記黒色の画像形成を行う際の光源を駆動する黒色用駆動手段と、
前記多色の画像形成を行う際には前記複数の信号線に各色の画像信号を出力し、前記黒色の画像形成を行う際には前記所定の信号線及び前記黒用の信号線に黒の画像信号を出力する出力手段と、
前記多色の画像形成を行う際には前記多色用駆動手段を選択し、前記黒色の画像形成を行う際には前記黒色用駆動手段を選択する選択手段と、
を備えることを特徴とする画像形成装置。
【請求項２】
前記多色の画像形成を行う際に前記黒用の像担持体に走査する光ビーム数は１つであり、前記黒色の画像形成を行う際に前記黒用の像担持体に走査する光ビーム数は２つであることを特徴とする請求項１に記載の画像形成装置。
【請求項３】
黒色の画像形成を行う際に黒用の像担持体に走査する光ビーム数を、多色の画像形成を行う際の前記黒用の像担持体に走査する光ビーム数に比べて多くした画像形成装置であって、
前記多色の画像形成を行う際に各色の画像信号を出力するための複数の信号線と、
前記複数の信号線のうち黒の画像信号を出力するための黒用の信号線を除く所定の信号線に接続された前記多色の画像形成を行う際の光源を駆動する多色用駆動手段と、
前記所定の信号線に接続された前記黒色の画像形成を行う際の光源を駆動する第一の黒色用駆動手段と、
前記黒用の信号線に接続された前記黒色の画像形成を行う際の光源を駆動する第二の黒色用駆動手段と、
前記多色の画像形成を行う際には前記複数の信号線に各色の画像信号を出力し、前記黒色の画像形成を行う際には前記所定の信号線及び前記黒用の信号線に黒の画像信号を出力する出力手段と、
前記多色の画像形成を行う際には前記多色用駆動手段を選択し、前記黒色の画像形成を行う際には前記第一の黒色用駆動手段を選択する選択手段と、
前記多色の画像形成を行う際に、前記黒用の信号線が前記第一の黒色用駆動手段と前記第二の黒色用駆動手段のいずれか一方に接続されるように経路を切り替える切替手段と、
を備えることを特徴とする画像形成装置。
【請求項４】
前記切替手段は、予め決められた時間で前記経路を切り替えることを特徴とする請求項３に記載の画像形成装置。
【請求項５】
前記切替手段は、前記第一の黒色用駆動手段により駆動される光源の積算使用時間と、前記第二の黒色用駆動手段により駆動される光源の積算使用時間が同じになるように、黒色の画像形成の積算使用時間と多色の画像形成の積算使用時間とに基づき、前記経路を切り替えることを特徴とする請求項４に記載の画像形成装置。
【請求項６】
前記切替手段は、画像形成を行っていないタイミングで前記経路を切り替えることを特徴とする請求項４又は５に記載の画像形成装置。
【手続補正２】
【補正対象書類名】明細書
【補正対象項目名】０００７
【補正方法】変更
【補正の内容】
【０００７】
（１）黒色の画像形成を行う際に黒用の像担持体に走査する光ビーム数を、多色の画像形成を行う際の前記黒用の像担持体に走査する光ビーム数に比べて多くした画像形成装置であって、前記多色の画像形成を行う際に各色の画像信号を出力するための複数の信号線と、前記複数の信号線のうち黒の画像信号を出力するための黒用の信号線を除く所定の信号線に接続された前記多色の画像形成を行う際の光源を駆動する多色用駆動手段と、前記所定の信号線に接続された前記黒色の画像形成を行う際の光源を駆動する黒色用駆動手段と、前記多色の画像形成を行う際には前記複数の信号線に各色の画像信号を出力し、前記黒色の画像形成を行う際には前記所定の信号線及び前記黒用の信号線に黒の画像信号を出力する出力手段と、前記多色の画像形成を行う際には前記多色用駆動手段を選択し、前記黒色の画像形成を行う際には前記黒色用駆動手段を選択する選択手段と、を備えることを特徴とする画像形成装置。
【手続補正３】
【補正対象書類名】明細書
【補正対象項目名】０００８
【補正方法】変更
【補正の内容】
【０００８】
（２）黒色の画像形成を行う際に黒用の像担持体に走査する光ビーム数を、多色の画像形成を行う際の前記黒用の像担持体に走査する光ビーム数に比べて多くした画像形成装置であって、前記多色の画像形成を行う際に各色の画像信号を出力するための複数の信号線と、前記複数の信号線のうち黒の画像信号を出力するための黒用の信号線を除く所定の信号線に接続された前記多色の画像形成を行う際の光源を駆動する多色用駆動手段と、前記所定の信号線に接続された前記黒色の画像形成を行う際の光源を駆動する第一の黒色用駆動手段と、前記黒用の信号線に接続された前記黒色の画像形成を行う際の光源を駆動する第二の黒色用駆動手段と、前記多色の画像形成を行う際には前記複数の信号線に各色の画像信号を出力し、前記黒色の画像形成を行う際には前記所定の信号線及び前記黒用の信号線に黒の画像信号を出力する出力手段と、前記多色の画像形成を行う際には前記多色用駆動手段を選択し、前記黒色の画像形成を行う際には前記第一の黒色用駆動手段を選択する選択手段と、前記多色の画像形成を行う際に、前記黒用の信号線が前記第一の黒色用駆動手段と前記第二の黒色用駆動手段のいずれか一方に接続されるように経路を切り替える切替手段と、を備えることを特徴とする画像形成装置。
【手続補正４】
【補正対象書類名】明細書
【補正対象項目名】００１０
【補正方法】削除
【補正の内容】
【手続補正５】
【補正対象書類名】明細書
【補正対象項目名】００２０
【補正方法】変更
【補正の内容】
【００２０】
次に本発明の特徴的な構成の一例について図１および図２を用いて説明する。図１は４Ｃ（フルカラー（多色））モード時の回路動作を示す図、図２は単色（黒単）モード時の回路動作を示す図である。同図において１はビデオコントローラ、２はＰＷＭ−ＩＣ（Ｐｕｌｓｅ  Ｗｉｄｔｈ  Ｍｏｄｕｌａｔｉｏｎ信号を生成するＩＣ）（出力手段）である。また、３はＣＰＵのＩ／Ｏポート、４および５が各モードにおけるコントロール信号選択回路（選択手段）である。６はレーザドライバ（ＬＤ  ｄｒｉｖｅｒ）、７はレーザダイオードである。６のレーザドライバは各色用に６Ｙ、６Ｍ、６Ｃ（多色用駆動手段）、６Ｋとあり、黒色用のレーザドライバはＯＤＤ用の６Ｋ１（単色用駆動手段）、ＥＶＥＮ用の６Ｋ２がある。また、７のレーザダイオードは各色用に７Ｙ、７Ｍ、７Ｃ、７Ｋとあり、黒色用のレーザダイオードはＯＤＤ用の７Ｋ＿ＯＤＤ、ＥＶＥＮ用の７Ｋ＿ＥＶＥＮがある。このとき、シアン用のＬＶＤＳデータ信号線ＬＶＤＳ＿Ｃ（所定の信号線）はシアン用のレーザドライバ６Ｃに接続されると同時に、黒色ＯＤＤ用のレーザドライバ６Ｋ１にも接続される。黒用のＬＶＤＳデータ信号線ＬＶＤＳ＿Ｋは、黒色ＥＶＥＮ用のレーザドライバ６Ｋ２に接続される。レーザドライバ６を制御するコントロール信号は、それぞれｃｏｎｔｒｏｌ＿Ｙはイエロー用のレーザドライバ６Ｙに、ｃｏｎｔｒｏｌ＿Ｍはマゼンタ用のレーザドライバ６Ｍに接続される。また、ｃｏｎｔｒｏｌ＿Ｃはコントロール信号選択回路４と５に、ｃｏｎｔｒｏｌ＿Ｋはブラック用のレーザドライバ６Ｋ２に接続される。コントロール信号選択回路４にはＣＰＵ３のＩ／ＯからＳｅｌｅｃｔ＿０が接続され、コントロール信号選択回路５にはＣＰＵ３のＩ／ＯからＳｅｌｅｃｔ＿１が接続される。
【手続補正６】
【補正対象書類名】明細書
【補正対象項目名】００２６
【補正方法】変更
【補正の内容】
【００２６】
基本的な構成、動作は実施例１と同じであるので、本実施例に特徴的な点に関して説明する。同図において同様の名称の個所は、図１、図２と同じ構成で、１７、１８は信号経路切替回路（切替手段）である。
【手続補正７】
【補正対象書類名】明細書
【補正対象項目名】００４０
【補正方法】変更
【補正の内容】
【００４０】
このように構成することで、黒色に使用するレーザの寿命を長寿命化することができる。
以上本実施例によれば、部品点数を少なくしコストを削減した構成で、多色の画像形成を行う際に比べ単色の画像形成を行う際の画像記録速度を向上させた画像形成装置を簡易に安価に実現することができる。
また、黒色画像を形成するための２つの光ビームについて、各々の積算点灯時間をほぼ等しくすることがきるため光ビームの長寿命化が可能になる。
【手続補正８】
【補正対象書類名】明細書
【補正対象項目名】００４１
【補正方法】変更
【補正の内容】
【００４１】
【図１】実施例１における４Ｃモードを説明する図
【図２】実施例１における黒単モードを説明する図
【図３】（ａ）実施例１における画像形成部の概略構成を示す平面図、（ｂ）実施例１における画像形成部の概略構成を示す断面図
【図４】（ａ）実施例１におけるフルカラー画像形成部の概略構成を示す平面図、（ｂ）実施例１におけるフルカラー画像形成部の概略構成を示す断面図
【図５】（ａ）実施例１における４Ｃモード時の動作を表すブロック図、（ｂ）実施例１におけるＢＫモード時の動作を表すブロック図
【図６】実施例１における４Ｃモード時のビデオ信号の流れを表すブロック図
【図７】実施例１における黒単モード時のビデオ信号の流れを表すブロック図
【図８】実施例２における黒単モードを説明する図
【図９】実施例２における４Ｃモード１を説明する図
【図１０】実施例２における４Ｃモード２を説明する図
【図１１】（ａ）実施例２におけるＢＫモード時の動作を表すブロック図、（ｂ）実施例２における４Ｃモード１時の動作を表すブロック図、（ｃ）実施例２における４Ｃモード２時の動作を表すブロック図
【図１２】（ａ）従来例における４Ｃモード時の動作を表すブロック図、（ｂ）従来例におけるＢＫモード時の動作を表すブロック図
【図１３】従来例における４Ｃモード時のビデオ信号の流れを表すブロック図
【図１４】従来例における黒単モード時のビデオ信号の流れを表すブロック図
【手続補正９】
【補正対象書類名】明細書
【補正対象項目名】００４２
【補正方法】変更
【補正の内容】
【００４２】
１      ビデオコントローラ
２      ＰＷＭ−ＩＣ（出力手段）
３      ＣＰＵのＩ／Ｏ
４      コントロール選択回路（選択手段）
５      コントロール選択回路（選択手段）
６Ｃ    レーザドライバ（多色用駆動手段）
６Ｋ１  レーザドライバ（黒色用駆動手段）（第一の黒色用駆動手段）
６Ｋ２  レーザドライバ（黒色用駆動手段）（第二の黒色用駆動手段）
１７    信号経路切替回路（切替手段）
１８    信号経路切替回路（切替手段）